(57)【特許請求の範囲】
【請求項１】
データが記録されたカード媒体を搬送する搬送手段と、
この搬送手段によって搬送されるカード媒体に重ね合わされて走行するもので、保護膜を担持し、この保護膜を前記カード媒体に対向させる保護膜担持体と、
表面一部に突出部を有し、回転することにより前記突出部の押圧面で前記保護膜担持体を押圧し、前記保護膜を前記カード媒体のデータ上に転写させる転写ローラと、
この転写ローラの少なくとも一端部に外周方向に沿って突出する状態で設けられたカム部と、
このカム部に当接された回動部材と、
この回動部材に取付部材を介して取り付けられ、前記突出部の押圧面に摺接してその表面に付着した異物を除去する除去手段と、
前記回動部材を弾性的に付勢して回動させることにより前記除去手段を前記転写ローラの突出部の押圧面に向かって移動させる付勢部材とを具備し、
前記転写ローラの回転時にそのカム部により前記回動部材を前記付勢部材の付勢力に抗して回動させることにより、前記除去手段を前記転写ローラの突起部に当接しない位置に離間させ、前記転写ローラの突出部の押圧面が前記除去手段に対向したとき、前記付勢部材の付勢力により前記除去手段を前記転写ローラの突出部の押圧面に接触させることを特徴とする保護膜転写装置。
【請求項２】
前記除去手段はパッドであることを特徴とする請求項１記載の保護膜転写装置。
【請求項３】
前記パッドは樹脂材であることを特徴とする請求項２記載の保護膜転写装置。
【請求項４】
情報を入力する入力手段と、
この入力手段からの入力情報によりカード媒体にデータを印刷する印刷手段と、
この印刷手段によりデータが記録されたカード媒体を搬送する搬送手段と、
この搬送手段によって搬送されるカード媒体に重ね合わされて走行するもので、保護膜を担持し、この保護膜を前記カード媒体に対向させる保護膜担持体と、
表面一部に突出部を有し、回転することにより前記突出部の押圧面で前記保護膜担持体を押圧し、前記保護膜を前記カード媒体のデータ上に転写させる転写ローラと、
この転写ローラの少なくとも一端部に外周方向に沿って突出する状態で設けられたカム部と、
このカム部に当接された回動部材と、
この回動部材に取付部材を介して取り付けられ、前記突出部の押圧面に摺接してその表面に付着した異物を除去する除去手段と、
前記回動部材を弾性的に付勢して回動させることにより前記除去手段を前記転写ローラの突出部の押圧面に向かって移動させる付勢部材とを具備し、
前記転写ローラの回転時にそのカム部により前記回動部材を前記付勢部材の付勢力に抗して回動させることにより、前記除去手段を前記転写ローラの突起部に当接しない位置に離間させ、前記転写ローラの突出部の押圧面が前記除去手段に対向したとき、前記付勢部材の付勢力により前記除去手段を前記転写ローラの突出部の押圧面に接触させることを特徴とするカード作成装置。
【請求項５】
前記除去手段はパッドであることを特徴とする請求項４記載のカード作成装置。
【請求項６】
前記パッドは樹脂材であることを特徴とする請求項５記載のカード作成装置。
【発明の詳細な説明】
【０００１】
【発明の属する技術分野】
この発明は、たとえば、ＩＤカードなどと称される個人識別カードに代表される証明カードを作成するに適用される保護膜転写装置及びカード作成装置に関する。
【０００２】
【従来の技術】
この種のカード作成装置は、カード媒体にカラー顔写真および黒文字情報等のデータを印刷したのち、最終工程において、カード媒体の表面に紫外線硬化形の表面保護膜を塗布する。この紫外線硬化形の表面保護膜を塗布する際に、昇華印刷をした顔画像が色あせてしまうことを防止するための保護膜転写装置により顔画像および黒文字情報上に保護膜を転写するようになっている。
【０００３】
保護膜転写装置は転写ローラを備え、転写ローラはその周面一部に顔画像に対応する面積を有する突出部を有し、この突出部により保護膜リボンを押圧、加熱することにより顔画像に保護膜を転写させる。
【０００４】
ところで、転写ローラの突出部の表面に異物等が付着すると、異物等が付着した部分に圧力が集中するため、転写された保護層に傷が入り、データ保護層としての機能を十分に発揮することができなくなる。
そこで、従来においては、転写ローラにパッドを接触させ、このパッドにより、転写ローラの突出部の表面を清掃して異物の付着を防止するようにしている。
【０００５】
【発明が解決しようとする課題】
しかしながら、従来においては、パッドを常に転写ローラに接触させていたため、転写ローラの回転時にその突出部のエッジ部がパッドに当接し、パッドを痛めていた。
【０００６】
このため、パッドの交換サイクルが短くなり不経済的なものになるとともに、パッド自体に削れが発生し、転写不良の原因にもなっていた。
この発明は、上記事情に基づきなされたもので、転写ローラの回転時にその突出部のエッジ部をパッドに当接させることなく、突出部の表面に付着した異物を除去できるようにた保護膜転写装置及びカード作成装置を提供することを目的とする。
【０００７】
【課題を解決するための手段】
この発明は、上記課題を解決するため、請求項１記載のものは、データが記録されたカード媒体を搬送する搬送手段と、この搬送手段によって搬送されるカード媒体に重ね合わされて走行するもので、保護膜を担持し、この保護膜を前記カード媒体に対向させる保護膜担持体と、表面一部に突出部を有し、回転することにより前記突出部の押圧面で前記保護膜担持体を押圧し、前記保護膜を前記カード媒体のデータ上に転写させる転写ローラと、この転写ローラの少なくとも一端部に外周方向に沿って突出する状態で設けられたカム部と、このカム部に当接された回動部材と、この回動部材に取付部材を介して取り付けられ、前記突出部の押圧面に摺接してその表面に付着した異物を除去する除去手段と、前記回動部材を弾性的に付勢して回動させることにより前記除去手段を前記転写ローラの突出部の押圧面に向かって移動させる付勢部材とを具備し、前記転写ローラの回転時にそのカム部により前記回動部材を前記付勢部材の付勢力に抗して回動させることにより、前記除去手段を前記転写ローラの突起部に当接しない位置に離間させ、前記転写ローラの突出部の押圧面が前記除去手段に対向したとき、前記付勢部材の付勢力により前記除去手段を前記転写ローラの突出部の押圧面に接触させることを特徴とする。
【０００８】
請求項４記載のものは、情報を入力する入力手段と、この入力手段からの入力情報によりカード媒体にデータを印刷する印刷手段と、この印刷手段によりデータが記録されたカード媒体を搬送する搬送手段と、この搬送手段によって搬送されるカード媒体に重ね合わされて走行するもので、保護膜を担持し、この保護膜を前記カード媒体に対向させる保護膜担持体と、表面一部に突出部を有し、回転することにより前記突出部の押圧面で前記保護膜担持体を押圧し、前記保護膜を前記カード媒体のデータ上に転写させる転写ローラと、この転写ローラの少なくとも一端部に外周方向に沿って突出する状態で設けられたカム部と、このカム部に当接された回動部材と、この回動部材に取付部材を介して取り付けられ、前記突出部の押圧面に摺接してその表面に付着した異物を除去する除去手段と、
前記回動部材を弾性的に付勢して回動させることにより前記除去手段を前記転写ローラの突出部の押圧面に向かって移動させる付勢部材とを具備し、前記転写ローラの回転時にそのカム部により前記回動部材を前記付勢部材の付勢力に抗して回動させることにより、前記除去手段を前記転写ローラの突起部に当接しない位置に離間させ、前記転写ローラの突出部の押圧面が前記除去手段に対向したとき、前記付勢部材の付勢力により前記除去手段を前記転写ローラの突出部の押圧面に接触させることを特徴とする。
【００１３】
【発明の実施の形態】
以下、この発明を図面に示す一実施の形態を参照して説明する。
図１は、この発明のＩＤカード作成装置の内部構成を概略的に示す側面図である。
【００１４】
カード作成装置１は、装置本体としての筐体２を有している。筐体２の前面部には、カード媒体に印刷する個人データすなわち文字情報を入力する操作入力部４が配置されている。操作入力部４には、ＩＤカード作成装置１を単独で運用する情報および証明カードとして必要な情報を入力する第１の入力手段としての操作パネル６、所有者の顔写真データすなわち顔画像情報を直接入力する第２の入力手段としての光磁気ディスク装置８、及び、これらにより入力された情報内容や異常などを表示するための詳述しない表示装置が配置されている。
【００１５】
筐体２内の前面側上部には、顔写真および文字情報が印刷されることにより証明カード１００として発行されるための印刷前の原券であるカード媒体１０を保持するとともに順次一枚ずつ取出して供給するカード媒体供給部１２が設けられている。
【００１６】
カード媒体供給部１２は、複数枚のカード媒体１０を、被印刷面すなわち表面を上方に向けた水平状態で収納するカードホッパ１４を有している。カードホッパ１４は、作成するカードの種類あるいはカード発行機関により予め決められているカードの形式に応じて複数種用意されるとともに、カード媒体供給部１２に着脱可能に形成されている。
【００１７】
カードホッパ１４内には、収納されているカード媒体１０を、下方へ押圧する重り１６が設けられている。カードホッパ１４内のカード媒体１０は、反時計方向に回転するゴムローラからなる取出ローラ１８によって、カードホッパ１４の最下部に位置されたカード媒体１０から１枚ずつ取出される。
【００１８】
なお、カードホッパ１４のカード媒体取出し口部１４ａには、カード媒体１０を重ね取り出しをしないように、カード媒体１０の１枚の厚さよりも広く２枚の厚さよりも狭い隙間を有し、スロートナイフと呼ばれる図示しない重送防止機構が設けられている。
【００１９】
カードホッパ１４のカード送出方向には、取出し時のスロートナイフとの接触によりカード媒体１０の表面（被印刷面）に付着する虞れのあるごみを接着層に接着させて剥離する糊ローラ２０が配置されている。
【００２０】
糊ローラ２０のカード送出方向には、所有者の顔写真を印刷する第１の印刷手段としての感熱昇華カラー写真印刷部２２が配置されている。
感熱昇華カラー写真印刷部２２は、カード媒体１０に対して所持者（更新者）の顔画像をフルカラーの多色印刷するもので、減色混合法に基づいて色分解された赤（Ｒ）、緑（Ｇ）および青（Ｂ）のそれぞれの色成分に対して補色の関係にあるイエロー（黄、以下Ｙまたは添字Ｙで示す）、マゼンタ（赤、以下Ｍまたは添字Ｍで示す）及びシアン（紫、以下Ｃまたは添字Ｃで示す）の３色を逐次重ね合わせて感熱昇華印刷するために、カード媒体１０が搬送される方向に沿って順次配列されたイエロー印刷部２４Ｙ、マゼンタ印刷部２４Ｍおよびシアン印刷部２４Ｃを有している。感熱昇華印刷部２２に案内されたカード媒体１０の表面には、光磁気ディスク装置８により供給された所有者の顔写真がＹ，ＭおよびＣの３色の重ね合わせによりカラー印刷される。
【００２１】
各印刷部２４Ｙ，２４Ｍおよび２４Ｃは、詳細には、プラテンローラ２６Ｙ，２６Ｍおよび２６Ｃ、感熱印刷ヘッド２８Ｙ，２８Ｍおよび２８Ｃ、それぞれのプラテンローラと感熱印刷ヘッドとの間に中途部を介在させたＹ，ＭおよびＣの３色の感熱昇華印刷インクリボン３０Ｙ，３０Ｍおよび３０Ｃ、各インクリボン３０Ｙ，３０Ｍおよび３０Ｃの後端が巻付けられたインクリボン送出軸３２Ｙ，３２Ｍおよび３２Ｃ、ならびに、各インクリボン３０Ｙ，３０Ｍおよび３０Ｃの先端が巻付けられたインクリボン巻取軸３４Ｙ，３４Ｍおよび３４Ｃとから構成されている。
【００２２】
プラテンローラ２６Ｙ，２６Ｍおよび２６Ｃは、カード媒体１０との滑りを最小にするために、柔らかいゴムローラあるいはセラミック粉が植え込まれているセラミック植込みローラで形成されている。
【００２３】
感熱昇華カラー写真印刷部２２のカード媒体送出方向には、第２の印刷手段としての溶融転写文字印刷部３６が配置されている。
なお、写真印刷部２２が感熱昇華型の３色カラー印刷であるに対して文字印刷部３６は、溶融転写型で黒のみを印刷するものである。このことは、溶融転写型の印刷は、昇華型の印刷と比較して必要となる印加エネルギーが低いことを利用して、印刷速度を高速にするものである。すなわち、顔画像のカラー印刷に比較して印刷面積（長手方向の長さ）が広い文字印刷では溶融転写型の印刷が望ましい。
【００２４】
溶融転写文字印刷部３６は、カード媒体１０に、所有者の個人データすなわち文字情報を印刷する黒印刷装置であって、プラテンローラ３８、感熱印刷ヘッド４０、溶融転写インクリボン４２、インクリボン送出軸４４およびインクリボン巻取軸４６とから構成されている。
【００２５】
溶融転写文字印刷部３６の後段には、保護膜形成手段としての耐光性向上保護膜（紫外線すなわちＵｌｔｒａＶｉｏｌｅｔ  保護膜）転写部（以下、ＵＶ保護膜転写部と示す）５０が配置されている。ＵＶ保護膜転写部５０は、カラー顔写真および黒文字情報が印刷されたカード媒体１０の表面に最終工程において紫外線硬化形の表面保護膜を塗布する際に、昇華印刷をした顔画像が色あせてしまうことを防止するための防護膜を形成するものである。
【００２６】
ＵＶ保護膜転写部５０のカード送出方向には、ＵＶ保護膜転写部５０から表面保護膜塗布部７０に向けてカード媒体１０を搬送するカード搬送機構が配置されている。
【００２７】
ＵＶ保護膜転写部５０によりＵＶ保護膜が溶融転写されたカード媒体１０は、クランプローラ６２によりシュート部６４に送り込まれ、シュート部６４の下方のベルトコンベア６６に移載される。詳細には、クランプローラ６２で送られたカード媒体１０の先端が落下シュート６８に突き当たると、カード媒体１０の後端（右端）がクランプローラ６２から離脱するとともに時計方向に回転し、落下シュート６８に沿って下方に落下する。落下シュート６８の下方の落下面には、水平状態のベルトコンベア６６が設けられていて、落下したカード媒体１０を受取って右方向へ搬送しながら、図示しない整列ガイドを介して落下により乱れた姿勢を次第に正しい姿勢にガイドをしつつ、表面保護膜塗布手段としての表面保護膜塗布部７０へ搬送する。
【００２８】
表面保護膜塗布部７０は、既に、顔写真および文字情報が印刷されたカード媒体１０の表面に、後述する表面保護膜を塗布する表面保護膜塗布部、及び、カード媒体１０の表面にＵＶ硬化液を塗布するもので、ピンチローラ７２、ＵＶ硬化液タンク７４、定量供給器７６および塗布ペン７８から構成されている。
【００２９】
ベルトコンベア６６で搬送されるカード媒体１０は、ピンチローラ７２によりベルトコンベア６６上にしっかり押し付けられる。カード媒体１０の表面には、塗布ペン７８を介して、ＵＶ硬化液タンク７４からＵＶ硬化液を吸い上げる定量供給器７６で定量のＵＶ硬化液が計測されて供給されたＵＶ硬化液が全面に薄く塗布される。ＵＶ硬化液は、塗布ペン７８により提供される毛細管現象により、カード媒体１０の全面に薄く拡散される。
【００３０】
ＵＶ硬化液は、硬化すると表面が非常に硬くなるので、単なるオーバコート層に比較して表面の傷が着きにくく、耐久性を向上できる。
表面保護膜塗布部７０を介してＵＶ硬化液が塗布されたカード媒体１０は、表面保護膜硬化手段としての表面保護膜硬化部８０に送られる。表面保護膜硬化部８０は、カード媒体１０上に塗布されたＵＶ硬化液を硬化させるもので、ベルトコンベア８２およびその上方に１０ｃｍ程度離して設置された水銀灯８４から構成されている。
【００３１】
ベルトコンベア６６で搬送されるカード媒体１０は、ベルトコンベア８２に移載され、ベルトコンベア８２により所定の時間をかけて搬送される。このとき、ベルトコンベア８２上の搬送されるカード媒体１０の表面には、水銀灯８４からの紫外線が照射される。これにより、塗布ペン７８からカード媒体１０の表面に塗布されたＵＶ硬化液は、所定の時間すなわちベルトコンベア８２によりカード媒体１０が搬送される間に確実に硬化される。
【００３２】
表面保護膜硬化部８０を通過したカード媒体１０すなわち完成した証明カード１００は、表面保護膜硬化部８０の図において右方向に設けられた区分集積手段としての区分集積部９０に送り込まれ、カード収容手段としてのスタッカ９２に収容されるようになっている。
【００３３】
区分集積部９０は、表面保護膜硬化部８０から送出される証明カード１００をスタッカ９２に向けて搬出するカード搬出手段としての搬送ローラ対９４を有している。すなわち、表面保護膜硬化部８０から送出された証明カード１００は、搬送ローラ対９４によりスタッカ９２の上部の開口に向けて搬送され、カードの後端が搬送ローラ対９４から離れることで、スタッカ９２の開口に落下される。
【００３４】
なお、スタッカ９２の上部に移動可能な１枚取り出しステージ９６を配置することで、証明カード１００をスタッカ９２に落下させずにステージ９６に案内すれば、図示しない外部からの取り出し口からカードを１枚ずつ抜き取ることも可能である。
【００３５】
次に、ＩＤカード作成装置１の動作を説明する。
通常の顔写真付きカードを作成する場合には、第１に、図示しない撮影装置を介して所有者の顔写真が撮影される。撮影された顔写真は、記憶媒体としての光ディスクに記憶され、光磁気ディスク装置８により顔写真データとして装置１に供給される。
【００３６】
光ディスクにより供給された顔写真データは、図示しないビデオＲＡＭまたはページメモリなどに代表される画像メモリに取り込まれ、カード媒体１０に３色のカラー印刷をするためのＹ，ＭおよびＣの印字データとして展開されて、保持される。
【００３７】
操作パネル６によりカードの作成が指示されると、カード媒体供給部１２のカードホッパ１４の最下部から、取出ローラ１８を介して、カード媒体１０が１枚ずつ取り出される。カードホッパ１４から取り出されたカード媒体１０は、糊ローラ２０によりクリーニングされ、カラー感熱昇華印刷部２２に案内される。
【００３８】
カラー感熱昇華印刷部２２に案内されたカード媒体１０の表面には、画像メモリで保持されている印字データに対応するＹ，ＭおよびＣの３色の画像の重ね合わせによりカラー印刷される。
【００３９】
感熱昇華カラー写真印刷部２２により顔画像が印刷されたカード媒体１０は、溶融転写文字印刷部３６に送り込まれる。
溶融転写文字印刷部３６に案内されたカード媒体１０の表面には、操作パネル６からの入力または図示しない外部装置あるいはフロッピーディスクにより供給される所有者の文字情報が黒により印字される。
【００４０】
溶融転写文字印刷部３６により文字情報が印刷されたカード媒体１０は、ＵＶ保護膜転写部５０に案内されてＵＶ保護膜が形成されたのち、表面保護膜塗布部７０および表面保護膜硬化部８０を介して、紫外線硬化樹脂による保護膜が形成される。
【００４１】
顔写真ならびに文字情報が印刷され、ＵＶ保護膜および紫外線硬化樹脂保護膜が形成された証明カード１００は、区分集積部９０のスタッカ９２あるいは１枚取り出しステージ９６のいづれかに排出される。
【００４２】
次に、この発明の要旨であるＵＶ保護膜転写部５０を図２及び図３を参照して詳述する。
ＵＶ保護膜転写部５０は、顔写真および文字情報が印刷されたカード媒体１０の表面に対し最終工程において照射される紫外線により顔画像が色あせることを防止するために、顔画像にＵＶ保護膜を溶融転写するものである。
【００４３】
図中１０１，１０１は所定間隔を存して配設される搬送手段としての搬送ローラで、これら搬送ローラ１０１，１０１の上部にはカード媒体１０を挾持搬送するピンチローラ１０２，１０２が転接されているとともにカード媒体１０の搬送をガイドするガイド板１０６，１０６が配設されている。ピンチローラ１０２，１０２間の上部側にはカートリッジ（図示しない）が設けられている。
【００４４】
カートリッジ（図示しない）内の上部側にはＵＶ保護膜シート５６を送り出すＵＶシート送出軸５８およびＵＶ保護膜シート５６を巻き取るＵＶシート巻取軸６０が配設されているとともに、下部側には巻き取られるＵＶ保護膜シート５６をガイドするガイドシャフト１０４，１０５が配設されている。
【００４５】
ＵＶ保護膜シート５６は、感熱印刷インクリボンと同じように支持体リボンに透明なＵＶ保護膜が連続的に形成されたシートである。
ガイドシャフト１０４，１０５間にはＵＶ保護膜シート５６を押圧加熱する転写ローラとしてのヒートローラ５４が回転自在に設けられ、ヒートローラ５４の内部にはヒートランプ５４ｂが設けられている。ヒートローラ５４の表面部にはＵＶ保護膜シート５６を押圧加熱するための突出部５４ａが突設されている。ヒートローラ５４の下方部にはカード媒体１０を支持するバックアップローラ５２が回転自在に配置されている。
【００４６】
また、ヒートローラ５４の近傍には突出部５４ａの表面部に付着した異物を除去する除去機構１１０が対向配置されている。
除去機構１１０は図３にも示すように合成樹脂製のパッド１１１を備えている。パッド１１１は支持プレート１１２に支持され、この支持プレート１１２の両端部は回動部材１１３，１１３により保持されている。回動部材１１３は支持軸１１４により回動自在に支持されるとともに、スプリング１１５により矢印方向に回動するように付勢されている。
【００４７】
ヒートローラ５４の両端部には、接離手段としてのカム部１１６がヒートローラ５４の表面部から所定寸法突出するように設けられている。
除去機構１００の回動部材１１３，１１３はヒートローラ５４の回転時にカム部１１６及びヒートローラ５４の周面にそれぞれに摺接するようになっている  次に、保護膜の転写動作について説明する。
【００４８】
カード媒体１０はヒートローラ５４とバックアップローラ５２との間を通り、カード媒体１０の先端が搬送ローラ１０１とピンチローラ１０２にクランプされるところまで搬送される。次に、搬送ローラ１０１と同じ速度でヒートローラ５４が回転する。この回転により、ヒートローラ５４の突出部５４ａによりＵＶ保護膜シート５６がバックアップローラ５２に向かって押圧加熱される。これにより、押圧加熱された部分に対応するＵＶ保護膜の部分のみがカード媒体１０の顔画像上に転写される。この転写後、ＵＶ保護膜シート５６は巻取側のガイドシャフト１０５を支点として持ち上げられ、カード媒体１０から剥離される。この剥離後、カード媒体１０は搬送ローラ１０１とピンチローラ１９２により挾持されて排出される。
【００４９】
ところで、この転写時には、ヒートローラ５４の突出部５４ａの表面に異物が付着することがある。この異物はヒートローラ５４の回転時に突出部５４ａの表面に摺接するパッド１１１により除去される。
【００５０】
次に、異物の除去動作について図４乃至図１０を参照して説明する。
ＵＶ保護膜の転写動作の開始時には、図４に示すように、ヒートローラ５４のカム部１１６に除去機構１００の回動部材１１３，１１３が当接され、パッド１１１はスプリング１１５の付勢力に抗してヒートローラ５４の表面から離間されている。従って、この状態からヒートローラ５４が図５、図６に示すように回転されると、ヒートローラ５４の突出部５４ａはその先端エッジ部をパッド１１１に当接させることなくその表面部をパッド１１１に対向させる。この状態からヒートローラ５４が図７に示すように回転されると、カム部１６から外れた回動板１１３がスプリング１１５の付勢力により回動されてパッド１１１が突出部５４ａの表面に接触される。さらに、この状態からヒートローラ５４が図８、図９に示すように回転されることにより、パッド１１１が突出部５４ａの表面に摺接して異物を除去する。このように異物を除去したのちは、再び、カム部１１６により回動板１１３がスプリング１１５の付勢力に抗して矢印方向に押し戻され、パッド１１１がヒートローラ５４の突出部５４ａの表面から離間される。
【００５１】
以後、順次同様にしてヒートローラ５４の突出部５４ａの表面に対するパッド１１１の接離動作が繰り返されて異物除去が継続される。
上記したように、ヒートローラ５４の回転時にその突出部５４ａの先端エッジ部がパッド１１１に当接しないようにパッド１１１を接離させるため、パッド１１１に損傷を与えることがなく、パッド１１１の交換サイクルを長くでき、また、パッド１１１自体の削れも防止でき、良好な転写が可能となる。
【００５２】
【発明の効果】
本発明は以上説明したように、転写ローラの回転時にその突出部の先端エッジ部が除去手段に当接しないように除去手段を接離させるため、除去手段に損傷を与えることがない。従って、除去手段の交換サイクルを長くでき、また、除去手段自体の削れも防止でき、良好な転写が可能となるとう効果を奏する。
【図面の簡単な説明】
【図１】この発明の一実施の形態であるカード作成装置を示す概略的構成図。
【図２】保護膜転写装置を示す構成図。
【図３】ヒートローラ及びパッドの接離機構を示す斜視図。
【図４】パッドの回動部材がカムに当接しパッドがヒートローラから離間された状態を示す図。
【図５】パッドの回動部材がカムから外れた状態を示す図。
【図６】パッドの回動部材がカムから外れてヒートローラの周面に接触した状態を示す図。
【図７】ヒートローラの突出部の先端側がパッドに対向された状態を示す図。
【図８】パッドがヒートローラの突出部の表面に接触した状態を示す図。
【図９】パッドとヒートローラの突出部の表面の摺接が終了した状態を示す図。
【図１０】パッドの回動部材がヒートローラのカム機構に当接してパッドがヒートローラの突出部の表面から離間した状態を示す図。
【符号の説明】
１…ＩＤカード作成装置
６…操作パネル（入力手段）
１０…カード媒体
２２…感熱昇華カラー写真印刷部（印刷手段）
３６…溶融転写文字印刷部（印刷手段）
５０…ＵＶ保護膜転写部（保護膜形成手段）
５６…保護膜シート（保護膜担持体）
５２ａ…突出部
５２…ヒートローラ（転写ローラ）
１０１…搬送ローラ（搬送手段）
１１１…パッド（除去手段）
１１６…カム部（接離手段）
【図１】
0003629134.tif 000002
【図２】
0003629134.tif 000003
【図３】
0003629134.tif 000004
【図４】
0003629134.tif 000005
【図５】
0003629134.tif 000006
【図６】
0003629134.tif 000007
【図７】
0003629134.tif 000008
【図８】
0003629134.tif 000009
【図９】
0003629134.tif 000010
【図１０】
0003629134.tif 000011